(57)【要約】【課題】異なる経路の配線を介して電圧が印加される画素群を含む電気光学装置における表示の不具合を低減すること。【解決手段】電気光学装置は、第１経路の配線（１１４ａ）を介してそれぞれに供給される電圧に応じてそれぞれの画素電極（１１８）に電圧が書き込まれる第１画素群と、第２経路の配線（１１４ｂ）を介してそれぞれに供給される電圧に応じてそれぞれの画素電極に電圧が書き込まれる第２画素群と、前記第１画素群と前記第２画素群に共通の対向電極（１０８）と、前記第１画素群に対して最適な前記対向電極の電圧（LCcom）と前記第２画素群に対して最適な前記対向電極の電圧との差を縮めるように、前記第１経路の配線を介して前記第１画素群に供給される電圧及び前記第２経路の配線を介して前記第２画素群に供給される電圧の少なくとも一方を補正する補正手段（４０）とを有する。【選択図】図１
2013101211.tif 000002
【特許請求の範囲】
【請求項１】
第１経路の配線を介してそれぞれに供給される電圧に応じてそれぞれの画素電極に電圧が書き込まれる第１画素群と、
第２経路の配線を介してそれぞれに供給される電圧に応じてそれぞれの画素電極に電圧が書き込まれる第２画素群と、
前記第１画素群と前記第２画素群に共通の対向電極と、
前記第１画素群に対して最適な前記対向電極の電圧と前記第２画素群に対して最適な前記対向電極の電圧との差を縮めるように、前記第１経路の配線を介して前記第１画素群に供給される電圧及び前記第２経路の配線を介して前記第２画素群に供給される電圧の少なくとも一方を補正する補正手段と
を有する電気光学装置。
【請求項２】
前記第１経路の配線と前記第２経路の配線が絶縁体を介して異なる層に配置されている
ことを特徴とする請求項１に記載の電気光学装置。
【請求項３】
前記第１経路の配線と前記第２経路の配線とが異なる駆動回路によって駆動される
ことを特徴とする請求項１または請求項２に記載の電気光学装置。
【請求項４】
前記補正手段は、前記第１画素群と前記第２画素群の少なくとも一方の階調レベルを定める映像データを補正する補正回路と、
前記補正回路により補正された映像データをＤ／Ａ変換して前記第１画素群と前記第２画素群の少なくとも一方に供給される電圧を生成するＤ／Ａ変換器と
を有することを特徴とする請求項１〜３のいずれか一項に記載の電気光学装置。
【請求項５】
請求項１ないし４のいずれか一項に記載の電気光学装置を有する
ことを特徴とする電子機器。
【発明の詳細な説明】
【技術分野】
【０００１】
本発明は、電気光学装置におけるフリッカーや焼き付きなどの表示の不具合を低減する技術に関する。
【背景技術】
【０００２】
液晶表示装置は、画素毎に液晶に印加される電圧を制御し、液晶の透過率または反射率を制御することで、透過光または反射光を変調し画像を表示する装置である。液晶表示装置では、各画素に対し設けられた画素電極と各画素に共通の対向電極との間に液晶が挟持され、各画素電極と対向電極との間の電圧が制御されることで液晶に印加される電圧が制御される。アクティブマトリクス型の液晶表示装置では、各画素電極は対応するスイッチング素子（通常、電界効果トランジスター。以下、単にトランジスターと言う）を介して信号線（データ線とも言う）に接続されており、トランジスターがオン状態のとき、信号線に供給されている電位（表示信号とも言う）に応じた電位が画素電極に書き込まれる。対向電極の電位は、通常、概ね一定の電位となるよう制御される。尚、液晶表示装置の各部の電位は、基準となる電位（例えば、グランド電位）との電位差（電圧）によって表される。従って、以下の説明において、電位と電圧を同義に用いることがある。
【０００３】
液晶表示装置では、液晶に長時間直流電圧が印加されると液晶の劣化が生じるため、液晶に印加される電圧の極性を時間的に切り替える交流駆動が行われる。対向電極の電位より画素電極の電位が高い状態を、液晶に正極性の電圧が印加された状態と言い、対向電極の電位より画素電極の電位が低い状態を、液晶に負極性の電圧が印加された状態と言う。交流駆動では、データ線に供給される表示信号として、所定の中心電位に対し正の電位と負の電位が交互（例えば、フレーム毎）に現れる信号が供給され、対向電極の電位は表示信号の中心電位に概ね一致するよう設定される。
【０００４】
上記したような液晶表示装置において、フィードスルーと呼ばれる現象が知られている。フィードスルーとは、トランジスターのゲート電極と画素電極に接続された電極（例えば、ドレイン電極）との間の寄生容量のため、トランジスターがオンからオフに転じるとき、画素電極の電位が、トランジスターがオンのときに書き込まれた電位から変化する現象である。フィードスルーによる画素電極の電位の変化方向は、画素電極に書き込まれた電位の値に関係なく一定方向である（トランジスターがｎチャネル型であれば下降方向であり、ｐチャネル型であれば上昇方向）。そのため、画素電極の中心電位は、信号線上に供給される表示信号の中心電位から、フィードスルーによる電位変化分だけずれることとなる。従って、対向電極の電位を、信号線上に供給される表示信号の中心電位に一致するように設定した場合、フィードスルーによって画素電極の電位が変化することにより、液晶に直流電圧成分が作用することとなる。言い換えると、液晶に印加される正極性の電圧と負極性の電圧にアンバランスが生じる。これは、液晶の劣化、焼き付き、フリッカー（ちらつき）発生などの原因となる。特許文献１には、フィードスルーによる画素電極の電位変化の分だけ、対向電極の電位を表示信号の中心電位からシフトさせることが記載されている。
【０００５】
特許文献２には、各画素列に対し二本の信号線を有する液晶表示装置において、これら二本の信号線を、絶縁膜を介して少なくとも部分的に重ねて配置する（即ち、多層配線する）ことが記載されている。各画素列において、奇数行の画素は二本の信号線の一方にトランジスターを介して接続され、偶数行の画素は二本の信号線の他方にトランジスターを介して接続される。奇数行の画素と偶数行の画素は画素電極の面積が異なり、列方向に隣接する一対の画素によって一つの合成画素が形成される。
【先行技術文献】
【特許文献】
【０００６】
【特許文献１】特開２００２−１８９４６０号公報
【特許文献２】特開２００９−１７５５６３号公報
【発明の概要】
【発明が解決しようとする課題】
【０００７】
特許文献２に記載された液晶表示装置では、偶数行の画素と奇数行の画素とで、対向電極（共通電極）の最適な電位が異なり得る。そのため、例えば、奇数行の画素に対して最適値となるように対向電極の電位を設定すると、偶数行の画素に対しては対向電極の電位が最適値とならず、その結果、偶数行の画素において、液晶に印加される正極性の電圧と負極性の電圧にアンバランスが生じ、液晶の劣化、焼き付き、フリッカーなどの不具合が生じ得る。
本発明は、上述した事情に鑑みてなされたもので、その目的の一つは、異なる経路の配線を介して電圧が印加される画素群を含む電気光学装置における表示の不具合を低減することにある。
【課題を解決するための手段】
【０００８】
上記目的を達成するために、本発明は、第１経路の配線を介してそれぞれに供給される電圧に応じてそれぞれの画素電極に電圧が書き込まれる第１画素群と、第２経路の配線を介してそれぞれに供給される電圧に応じてそれぞれの画素電極に電圧が書き込まれる第２画素群と、前記第１画素群と前記第２画素群に共通の対向電極と、前記第１画素群に対して最適な前記対向電極の電圧と前記第２画素群に対して最適な前記対向電極の電圧との差を縮めるように、前記第１経路の配線を介して前記第１画素群に供給される電圧及び前記第２経路の配線を介して前記第２画素群に供給される電圧の少なくとも一方を補正する補正手段とを有する電気光学装置を提供する。
この電気光学装置によれば、第１画素群に対して最適な対向電極の電圧と第２画素群に対して最適な対向電極の電圧との差を縮めるように、第１経路の配線を介して第１画素群に供給される電圧及び第２経路の配線を介して第２画素群に供給される電圧の少なくとも一方を補正する補正手段を有さない場合と比べて、異なる経路の配線を介して電圧が印加される画素群を含む電気光学装置における表示の不具合が低減される。
【０００９】
好ましい態様において、前記第１経路の配線と前記第２経路の配線が絶縁体を介して異なる層に配置されてもよい。
この電気光学装置によれば、前記第１経路の配線と前記第２経路の配線が絶縁体を介して異なる層に配置されない場合と比べて、第１経路の配線と第２経路の配線の配置が容易になる。
【００１０】
別の好ましい態様において、前記第１経路の配線と前記第２経路の配線とが異なる駆動回路によって駆動されてもよい。
この電気光学装置によれば、前記第１経路の配線と前記第２経路の配線とが異なる駆動回路によって駆動されない場合と比べて、画素への電圧の書込み速度が向上する。
【００１１】
別の好ましい態様において、前記補正手段は、前記第１画素群と前記第２画素群の少なくとも一方の階調レベルを定める映像データを補正する補正回路と、前記補正回路により補正された映像データをＤ／Ａ変換して前記第１画素群と前記第２画素群の少なくとも一方に供給される電圧を生成するＤ／Ａ変換器とを有してもよい。
この電気光学装置によれば、上記の補正回路とＤ／Ａ変換回路とを有さない場合と比べて、第１画素群と第２画素群の少なくとも一方に印加する電圧の補正を精度良く行うことができる。
【００１２】
尚、本発明は、電気光学装置のみならず、当該電気光学装置を有する電子機器として具現してもよい。
【図面の簡単な説明】
【００１３】
【図１】実施形態に係る電気光学装置の構成を示すブロック図。
【図２】電気光学装置の表示パネルの構成を示す図。
【図３】表示パネルにおける画素の構成を示す図。
【図４】第１データ線駆動回路の構成を示す図。
【図５】第１Ｄ／Ａ変換回路の動作を説明するための図。
【図６】補正回路がない場合に画素電極に書き込まれる電圧を説明するための図。
【図７】補正回路の動作を説明するための図。
【図８】補正回路で補正を行った場合の電気光学装置の各部の電圧を説明するための図。
【図９】電気光学装置を適用したプロジェクターの構成を示す図。
【図１０】変形例１に係る電気光学装置の構成を示すブロック図。
【図１１】補正回路で補正を行った場合の変形例１に係る電気光学装置の各部の電圧を説明するための図。
【図１２】変形例２に係る電気光学装置の構成を示すブロック図。
【図１３】変形例３に係る電気光学装置の構成を示すブロック図。
【図１４】変形例３に係る表示パネルの構成を示す図。
【発明を実施するための形態】
【００１４】
＜実施形態＞
図１は、本発明の一実施形態に係る電気光学装置１の構成を示すブロック図である。図１に示したように、電気光学装置１は、制御回路１０、メモリー２０、分離回路３０、補正回路４０、第１Ｄ／Ａ変換回路５０、第２Ｄ／Ａ変換回路６０、LCcom調整回路７０および表示パネル１００を含んだ構成となっている。
【００１５】
制御回路１０は、外部上位装置（図示省略）から供給される垂直同期信号Ｖｓ、水平同期信号Ｈｓおよびドットクロック信号Ｃｌｋに基づいて、水平走査用クロック信号Ｃｌｘ、垂直走査用クロック信号Ｃｌｙ、及び、様々な制御信号を生成して各部を制御する。これらの制御信号には、後述する第１フィールド及び第２フィールドにおけるデータ書込みの極性を指定する極性指定信号Ｐｏｌ、及び、それぞれ水平方向及び垂直方向の走査の開始を指示するやスタートパルスＤｘ、Ｄｙが含まれる。
【００１６】
電気光学装置１には、映像データＤａが、図示省略した上位装置から垂直同期信号Ｖｓ、水平同期信号Ｈｓおよびドットクロック信号Ｃｌｋに同期してフレーム単位で繰り返し供給される。ここで、フレームとは、映像を構成する個々の静止画を指し、例えば、１秒間に６０フレームの静止画を含む映像の場合、１／６０秒（約１６．７ミリ秒）の周期で１フレーム分の映像データＤａが供給される。映像データＤａは、例えば表示パネル１００の各画素に対し８ビットのデジタルデータであり、各画素の濃淡（階調レベル）を最も暗い「０」から最も明るい「２５５」までの２５６階調で指定する。映像データＤａは、ガンマ補正後のデータであってよい。
【００１７】
メモリー２０は、表示パネル１００の各画素に対応した記憶領域を有する。メモリー２０の各記憶領域には、制御回路１０による指示にしたがって、それぞれに対応する画素の映像データＤａが格納される。また、本実施形態では、１フレームは２つのフィールド（第１フィールド及び第２フィールド）に分かれており、メモリー２０に書き込まれた１フレーム分の映像データＤａは、表示パネル１００における書込走査に応じて第１フィールドおよび第２フィールドにおいて計２回、映像データＤｂとして読み出される。
【００１８】
分離回路３０は、メモリー２０から読み出された映像データＤｂを、奇数行の画素用の映像データＤｂ１（以下、奇数行映像データＤｂ１と言う）と、偶数行の画素用の映像データＤｂ２（以下、偶数行映像データＤｂ２と言う）に分離する。補正回路４０は、後に詳述するように、奇数行映像データＤｂ１に補正を加え、補正された奇数行映像データＤｃ１を生成する。第１Ｄ／Ａ変換回路５０は、補正された奇数行映像データＤｃ１を、階調レベルに応じた電圧であって、かつ、極性指定信号Ｐｏｌによって指定された極性の電圧の奇数行用電圧信号Ｖｉｄ１に変換し、表示パネル１００に供給する。第２Ｄ／Ａ変換回路６０は、分離回路３０から出力された偶数行映像データＤｂ２を、階調レベルに応じた電圧であって、かつ、極性指定信号Ｐｏｌによって指定された極性の電圧の偶数行用電圧信号Ｖｉｄ２に変換し、表示パネル１００に供給する。補正回路４０と第１Ｄ／Ａ変換回路５０は、本発明に係る補正手段の一例に相当する。
【００１９】
LCcom調整回路７０は、例えば、図示省略した操作部（例えば、キーボードなど）を通じて入力されたユーザの指示に基づいて調整された対向電極の電圧LCcomを表示パネル１００に供給する。
【００２０】
図２は、表示パネル１００の構成を示す図である。この図に示されるように、表示パネル１００は、画素１１０が縦ｍ行×横ｎ列のマトリクス状に配列された表示領域Ｍａの周辺に走査線駆動回路１３０、第１データ線駆動回路１４０、及び第２データ線駆動回路１５０を内蔵した周辺回路内蔵型となっている。行数ｍの値は例えば２１６０、列数ｎの値は例えば４０９６であるが、これらの値に限定されるものではない。尚、ｐ行ｑ列にある画素を画素（ｐ，ｑ）のように表すことがある。
【００２１】
表示領域Ｍａにおいては、画素１１０の各行に対応して走査線１１２が行方向（Ｘ方向）に延在するように設けられ、画素１１０の各列に対応してデータ線１１４が列方向（Ｙ方向）に延在するように設けられている。走査線１１２とデータ線１１４とは互いに電気的に絶縁を保つように設けられている。各画素１１０は、走査線１１２とデータ線１１４との交差に対応して配列されている。
【００２２】
本実施形態において、走査線１１２は画素１１０の各行に対し一本設けられ、各行の画素１１０は対応する走査線１１２に接続されている。一方、データ線１１４は画素１１０の各列に対し二本設けられている。各画素列の画素１１０のうち奇数行に位置する画素１１０は、その画素列に対応する二本のデータ線１１４の一方１１４ａ（以下、奇数行用データ線１１４ａと言う）に接続され、偶数行に位置する画素１１０は、その画素列に対応する二本のデータ線１１４の他方１１４ｂ（以下、偶数行用データ線１１４ｂと言う）に接続されている。奇数行に位置する画素１１０は、本発明に係る第１経路の配線を介して電圧が印加される第１画素群の一例であり、偶数行に位置する画素１１０は、本発明に係る第２経路の配線を介して電圧が印加される第２画素群の一例である。
【００２３】
図３は、（２ｉ−１）行ｊ列の画素１１０（即ち、画素（２ｉ−１，ｊ））及びこれと１行下で隣接する２ｉ行ｊ列の画素１１０（即ち、画素（２ｉ，ｊ））とを示している。ここで、ｉは１〜ｍ／２の任意の整数、ｊは１〜ｎの任意の整数である。即ち、（２ｉ−１）行ｊ列の画素１１０は奇数行の画素であり、２ｉ行ｊ列の画素１１０は偶数行の画素である。図３に示されるように、各画素１１０は、ｎチャネル型の薄膜トランジスター（以下、画素トランジスターと言う）１１６と液晶容量１２０とを含む。（２ｉ−１）行ｊ列の画素１１０における画素トランジスター１１６のゲート電極は（２ｉ−１）行目の走査線１１２に接続される一方、そのソース電極はｊ列目の奇数行用データ線１１４ａに接続され、そのドレイン電極は液晶容量１２０の一端である画素電極１１８に接続されている。また、液晶容量１２０の他端は、対向電極１０８に接続されている。この対向電極１０８には、全ての画素１１０にわたって、LCcom調整回路７０からの共通の電圧LCcomが印加されている。２ｉ行ｊ列の画素１１０における画素トランジスター１１６のゲート電極は２ｉ行目の走査線１１２に接続される一方、そのソース電極はｊ列目の偶数行用データ線１１４ｂに接続され、そのドレイン電極は液晶容量１２０の一端である画素電極１１８に接続されている。
【００２４】
この表示パネル１００は、特に図示しないが、素子基板と対向基板との一対の基板が一定の間隙を保って貼り合わせられるとともに、この間隙に液晶１０５が封止された構成となっている。このうち、素子基板には、走査線１１２や、データ線１１４、画素トランジスター１１６および画素電極１１８が、走査線駆動回路１３０、第１データ線駆動回路１４０、及び第２データ線駆動回路１５０とともに形成される一方、対向基板に対向電極１０８が形成されて、これらの電極形成面が互いに対向するように一定の間隙を保って貼り合わせられている。このため、本実施形態において液晶容量１２０は、画素電極１１８と対向電極１０８とが液晶１０５を挟持することによって構成されることになる。
【００２５】
尚、素子基板において、奇数行用データ線１１４ａと、偶数行用データ線１１４ｂとは、絶縁膜を介して分離された異なる配線層に設けられる。これにより、奇数行用データ線１１４ａと、偶数行用データ線１１４ｂの配線が容易になる。また、表示パネル１００の表示面に垂直な方向に見たとき、奇数行用データ線１１４ａと、偶数行用データ線１１４ｂが少なくとも部分的に重なるように配置してよい。これにより、データ線１１４（１１４ａ、１１４ｂ）の設置に要する面積が低減され、表示パネル１００における画素開口率（画素電極の面積が表示パネル全体の面積に占める割合）が向上される。
【００２６】
本実施形態では、表示パネル１００はバックライトを用いた液晶表示装置での使用を想定しており、液晶容量１２０に印加される電圧がゼロのとき液晶容量１２０を通過する光の透過率が最小となって黒色表示になり、液晶容量１２０に印加される電圧が大きくなるにつれて透過する光量が増加して、ついには透過率が最大の白色表示になるノーマリーブラックモードに設定されている。
【００２７】
この構成において、ある走査線１１２に選択電圧を印加し（走査線１１２の選択と言う）、この走査線１１２に接続された画素トランジスター１１６をオン（導通）させると、各画素トランジスター１１６に対応する画素電極１１８に、対応するデータ線１１４（１１４ａまたは１１４ｂ）上の信号（電圧）が書き込まれる（画素電極１１８への信号の書込みを、画素１１０への信号の書込みと言うこともある）。また、後述するように、データ線１１４上の電圧は、選択された走査線１１２に接続された各画素１１０に対して供給される。したがって、液晶容量１２０を透過する光は、画素１１０毎に異ならせることが可能である。走査線１１２を順次選択し（垂直走査）、各画素１１０の液晶容量１２０を透過する光を変調することにより、表示領域Ｍａにおいて画像が形成される。なお、形成された画像は、使用者に直視され、または、後述するプロジェクターのように拡大投射されて視認される。
【００２８】
なお、走査線１１２に印加される電圧が非選択電圧になると、その走査線１１２に接続された画素トランジスター１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素１１０毎に形成されている。この蓄積容量１０９の一端は、画素電極１１８（画素トランジスター１１６のドレイン）に接続される一方、その他端は、全画素１１０にわたって容量線１０７に共通接続されている。この容量線１０７には、例えば対向電極１０８と同じ電圧LCcomが供給される。
【００２９】
図２を再度参照すると、走査線駆動回路１３０は、制御回路１０から供給されるスタートパルスＤｙおよびクロック信号Ｃｌｙに基づいて、走査信号Ｙ１、Ｙ２、Ｙ３、・・・Ｙｍを、それぞれ１、２、３、・・・ｍ行目の走査線１１２に供給するものである。ここで、走査線駆動回路１３０は、選択した走査線１１２への走査信号を選択電圧Ｖｄｄに相当するＨレベルとし、それ以外の走査線１１２への走査信号を非選択電圧（例えば、接地電位Ｇｎｄ）に相当するＬレベルとする。
【００３０】
第１データ線駆動回路１４０は、制御回路１０から供給されるスタートパルスＤｘおよびクロック信号Ｃｌｘに基づいて、奇数行用電圧信号Ｖｉｄ１を、それぞれ１、２、３、…、ｎ列目の奇数行用データ線１１４ａに出力されるデータ信号Ｘ１ａ、Ｘ２ａ、Ｘ３ａ、…、Ｘｎａとしてサンプリングするものである。同様に、第２データ線駆動回路１５０は、制御回路１０から供給されるスタートパルスＤｘおよびクロック信号Ｃｌｘに基づいて、偶数行用電圧信号Ｖｉｄ２を、それぞれ１、２、３、…、ｎ列目の偶数行用データ線１１４ｂに出力されるデータ信号Ｘ１ｂ、Ｘ２ｂ、Ｘ３ｂ、…、Ｘｎｂとしてサンプリングするものである。
【００３１】
図４は、第１データ線駆動回路１４０の構成を示す図である。この図に示されるように、第１データ線駆動回路１４０は、サンプリング信号出力回路１４２と、データ線１１４ａ毎に設けられるｎチャネル型のトランジスター１４４（以下、選択トランジスター１４４と言う）とを有する。また、信号線１４６には、第１Ｄ／Ａ変換回路５０によって変換された奇数行用電圧信号Ｖｉｄ１が供給される。各列に設けられた選択トランジスター１４４は、そのソース電極が信号線１４６に接続され、そのドレイン電極が対応する奇数行用データ線１１４ａに接続されている。サンプリング信号出力回路１４２は、制御回路１０から供給されるスタートパルスＤｘおよびクロック信号Ｃｌｘに基づいて、各列に対応したサンプリング信号Ｓ１、Ｓ２、Ｓ３、…、Ｓｎを排他的にＨレベルとなるように出力し、対応する列の選択トランジスター１４４のゲート電極に供給する。したがって、ある列のサンプリング信号がＨレベルになると、当該列の選択トランジスター１４４がオンして、信号線１４６に供給された奇数行用電圧信号Ｖｉｄ１がサンプリングされ、当該列のデータ線１１４ａに出力される。サンプリング信号がＬレベルとなり、選択トランジスター１４４がオフになると、対応するデータ線１１４ａ上の電圧は、リーク電流のため多少減少するが、概ね同じ値に維持される。尚、第２データ線駆動回路１５０の構成は、入力される電圧信号が偶数行用電圧信号Ｖｉｄ２である点と、サンプリングされたデータ信号が出力されるデータ線が偶数行用データ線１１４ｂである点以外は、第１データ線駆動回路１４０と同じであるので、図示を省略する。
【００３２】
上述したように、本実施形態においては、メモリー２０から読み出された映像データＤｂは、分離回路３０によって奇数行映像データＤｂ１と偶数行映像データＤｂ２に分離される。奇数行映像データＤｂ１は第１Ｄ／Ａ変換回路５０で電圧信号Ｖｉｄ１に変換された後、第１データ線駆動回路１４０によりサンプリングされて、奇数行用データ線１１４ａ上に供給され、偶数行映像データＤｂ２は第２Ｄ／Ａ変換回路６０で電圧信号Ｖｉｄ２に変換された後、第２データ線駆動回路１５０によりサンプリングされて、偶数行用データ線１１４ｂ上に供給される。即ち、奇数行用データ線１１４ａと偶数行用データ線１１４ｂには、個別に信号（電圧）が供給される。従って、例えば、走査信号Ｙ１とＹ２を同時にＨレベルにする、走査信号Ｙ３とＹ４を同時にＨレベルにするというように、奇数行の走査線１１２の走査信号と偶数行の走査線１１２の走査信号とを同時にＨレベルにして、奇数行の走査線１１２と偶数行の走査線１１２を同時に選択し、それぞれの走査線１１２に接続された画素１１０へのデータ（電圧）の書込み（水平走査）を同時に行ってよい。このように奇数行の走査線１１２と偶数行の走査線１１２を同時に選択してデータ書込みを行うことにより、データ書込み速度が向上される。
【００３３】
続いて、補正回路４０の動作について説明する。補正回路４０の動作の理解が容易になるよう、まず、補正回路４０がない（または、補正回路４０による奇数行映像データＤｂ１の補正を行わない）場合の第１Ｄ／Ａ変換回路５０の動作について説明する。
【００３４】
図５は、第１Ｄ／Ａ変換回路５０の動作を説明するための図である。図５の左側のグラフは、分離回路３０から出力される１フレーム分の奇数行映像データＤｂ１を示している。図示されているように、奇数行映像データＤｂ１は、奇数行の各画素１１０（画素（１，１）、画素（１，２）、…、画素（２ｍ−１，ｎ））の各々に対する階調レベルを定めている。
【００３５】
図５の右側のグラフは、奇数行映像データＤｂ１を第１Ｄ／Ａ変換回路５０によりＤ／Ａ変換することにより得られる奇数行用電圧信号Ｖｉｄ１を示している。第１Ｄ／Ａ変換回路５０は、極性指定信号Ｐｏｌによって正極性書込みが指示されていれば、奇数行映像データＤｂ１を、基準電位（例えば、グランド電位ＧＮＤ）に対して予め定められた電圧Ｖｃを基準として高位側電圧に変換し、極性指定信号Ｐｏｌによって負極性書込みが指示されていれば、同じ映像データＤｂ１を電圧Ｖｃを基準として低位側電圧に変換し、変換した電圧を奇数行用電圧信号Ｖｉｄ１として表示パネル１００に供給する。即ち、本実施形態では、電圧信号Ｖｉｄ１の極性については、電圧Ｖｃよりも高位側を正極性とし、低位側を負極性としている（以下、電圧Ｖｃを極性基準電圧と言う）。本実施形態において、極性指定信号Ｐｏｌは、各フレームの前半（第１フィールド）においては正極性書込みを指定し、各フレームの後半（第２フィールド）においては負極性書込みを指定する。その結果、図５の右側のグラフに示すように、第１Ｄ／Ａ変換回路５０は、第１フィールドにおいては、映像データＤｂ１を極性基準電圧Ｖｃを基準として高位側電圧に変換し、第２フィールドにおいては、極性基準電圧Ｖｃを基準として低位側電圧に変換する。これにより、第１フィールドにおいては、極性基準電圧Ｖｃより高い電圧が画素１１０の画素電極１１８に書込まれ（正極性書込み）、第２フィールドにおいては、極性基準電圧Ｖｃより低い電圧が画素１１０の画素電極１１８に書込まれる（負極性書込み）。即ち、本実施形態にあっては、フィールドにわたってすべての画素１１０に書き込む電圧を同一極性とし、かつ、フィールド毎に極性を反転させる面反転方式としている。尚、極性基準電圧Ｖｃは、補正回路４０がない場合に第１Ｄ／Ａ変換回路５０から出力される奇数行用電圧信号Ｖｉｄ１の振幅中心に一致する。
【００３６】
第２Ｄ／Ａ変換回路６０の動作も、第１Ｄ／Ａ変換回路５０の動作と同様であり、極性指定信号Ｐｏｌに応じて、偶数行映像データＤｂ２を、極性基準電圧Ｖｃを基準として高位側電圧または低電位側電圧に変換し、変換した電圧を偶数行用電圧信号Ｖｉｄ２として表示パネル１００に供給する。
【００３７】
理想的には、第１フィールドと第２フィールドで同じ映像データ（Ｄｂ１、Ｄｂ２）を極性基準電圧Ｖｃを基準としてそれぞれ高電位側及び低電位側に変換した電圧（Ｖｉｄ１、Ｖｉｄ２）が、画素１１０の画素電極１１８に書き込まれる。その場合、対向電極１０８の電圧LCcomを電圧Ｖｃに一致させることで、液晶１０５に印加される電圧の直流成分をゼロにすることができる。しかしながら、実際には、画素電極１１８に書き込まれる電圧は、第１及び第２Ｄ／Ａ変換回路５０、６０から出力される電圧Ｖｉｄ１、Ｖｉｄ２と一致せず、ずれが生じる。
【００３８】
図６は、補正回路４０がない場合に画素１１０の画素電極１１８に書き込まれる電圧を説明するための図である。ここでは、説明を簡潔にするため、奇数行映像データＤｂ１と偶数行映像データＤｂ２は同じであるとする。また、その映像データを第１Ｄ／Ａ変換回路５０により変換した電圧信号Ｖｉｄ１と第２Ｄ／Ａ変換回路６０により変換した電圧信号Ｖｉｄ２は同じであるとし、図６において実線で表す。
【００３９】
図６において破線で示すように、奇数行の画素１１０の画素電極１１８に書き込まれる電圧（以下、画素電圧）Ｖｐｉｘ１は、第１フィールド（正極性書込み）及び第２フィールド（負極性書込み）のいずれにおいても、第１Ｄ／Ａ変換回路５０から出力される電圧信号Ｖｉｄ１より差分ΔＶ１だけ低下している。これは、各画素１１０に対応する画素トランジスター１１６がオンからオフに転じるときに、画素トランジスター１１６のゲート・ドレイン電極間の寄生容量の影響で、ドレイン電極に接続された画素電極１１８の電圧が、データ線１１４ａに供給されている電圧から変化する、いわゆる「フィードスルー」と呼ばれる現象に主として起因する。本例では、画素トランジスター１１６はｎチャネル型であるため、フィールドスルーによる電圧変化方向は、正極性書込み、負極性書込みのいずれにおいても、下降方向である。また、データ線１１４ａ上の電圧についても、フィードスルーが発生する。即ち、選択トランジスター１４４がオンからオフに転じるときに、選択トランジスター１４４のゲート・ドレイン電極間の寄生容量の影響で、ドレイン電極に接続されたデータ線１１４ａの電圧が、信号線１４６に供給されている電圧（即ち、電圧信号Ｖｉｄ１）から変化する。本例では、選択トランジスター１４４はｎチャネル型であるため、選択トランジスター１４４のフィードスルーによる電圧変化方向も下降方向である。以下、フィードスルー等により生じる画素電圧Ｖｐｉｘ１の電圧信号Ｖｉｄ１からのずれを電圧変位ΔＶ１と言う。このように、奇数行の画素１１０に書き込まれる画素電圧Ｖｐｉｘ１は、第１フィールド及び第２フィールドのいずれにおいても、第１Ｄ／Ａ変換回路５０から出力される電圧信号Ｖｉｄ１より電圧変位ΔＶ１だけ低下し、その結果、奇数行の画素電圧Ｖｐｉｘ１の振幅の中心電圧Ｖｃ１は、極性基準電圧Ｖｃより電圧変位ΔＶ１だけ低下した電圧となる。
【００４０】
同様に、図６において点線で示すように、偶数行の画素１１０の画素電極１１８に書き込まれる画素電圧Ｖｐｉｘ２も、画素トランジスター１１６及び選択トランジスター１４４のフィードスルー等の影響により、第１フィールド及び第２フィールドのいずれにおいても、第２Ｄ／Ａ変換回路６０から出力される電圧信号Ｖｉｄ２より電圧変位ΔＶ２だけ低下し、偶数行の画素電圧Ｖｐｉｘ２の振幅の中心電圧Ｖｃ２は、極性基準電圧Ｖｃより電圧変位ΔＶ２だけ低下した電圧となるが、偶数行の電圧変位ΔＶ２は奇数行の電圧変位ΔＶ１とは異なっている。これは、例えば、奇数行の画素１１０用のデータ線１１４ａと偶数行の画素１１０用のデータ線１１４ｂとが異なる配線層に設けられていることにより、これらデータ線１１４ａ、１１４ｂが周囲の構成要素との間に形成する容量の大きさが変わり、選択トランジスター１４４のフィードスルーによる電圧低下の大きさが異なることに起因すると考えられる。また、表示パネル１００のデータ線駆動回路が、奇数行の画素１１０に接続されたデータ線１１４ａを駆動する第１データ線駆動回路１４０と、偶数行の画素１１０に接続されたデータ線１１４ｂを駆動する第２データ線駆動回路１５０とに分かれていることによっても、奇数行の電圧変位ΔＶ１と偶数行の電圧変位ΔＶ２の大きさに違いが生じ得る。尚、本例では、奇数行の画素１１０の電圧変位ΔＶ１の方が、偶数行の画素１１０の電圧変位ΔＶ２より大きいもの（ΔＶ１＞ΔＶ２）として示しているが、これはあくまでも例であり、ΔＶ１＜ΔＶ２でもよい。
【００４１】
このように、奇数行の画素１１０の電圧変位ΔＶ１と、偶数行の画素１１０の電圧変位ΔＶ２とが異なる場合、奇数行の画素１１０と偶数行の画素１１０とで、最適な対向電極１０８の電圧LCcomが異なる。即ち、奇数行の画素１１０に対しては、液晶１０５に印加される直流成分を低減するためには、対向電極１０８の電圧LCcomを奇数行の画素電圧Ｖｐｉｘ１の振幅中心Ｖｃ１（＝Ｖｃ−ΔＶ１）と一致させることが望ましいが、偶数行の画素１１０に対しては、液晶１０５に印加される直流成分を低減するためには、対向電極１０８の電圧LCcomを偶数行の画素電圧Ｖｐｉｘ２の振幅中心Ｖｃ２（＝Ｖｃ−ΔＶ２）と一致させることが望ましい。従って、対向電極１０８の電圧LCcomを例えば偶数行の画素１１０の電圧変位ΔＶ２をオフセットするように偶数行の画素電圧Ｖｐｉｘ２の振幅中心Ｖｃ２に一致するように設定すると（LCcom＝Ｖｃ−ΔＶ２）、奇数行の画素１１０において液晶に直流電圧成分が作用し、フリッカーや焼き付きが発生し得る。
【００４２】
図７は、補正回路４０の動作を説明するための図である。ここでは、図６に示したような奇数行の画素１１０の電圧変位ΔＶ１と、偶数行の画素１１０の電圧変位ΔＶ２とを有する表示パネル１００に対して、対向電極１０８の電圧LCcomを偶数行の画素１１０の電圧低下量ΔＶ２をオフセットするように、LCcom＝Ｖｃ−ΔＶ２と設定する場合の（即ち、極性基準電圧Ｖｃからの対向電極１０８の電圧LCcomのずれをΔＶｓｈとしたとき、ΔＶｓｈ＝ΔＶ２）、補正回路４０の動作を説明する。また、本図において、奇数行映像データＤｂ１を補正回路４０にて補正することなく第１Ｄ／Ａ変換回路５０でＤ／Ａ変換した場合に得られる電圧信号を電圧信号Ｖｉｄ０で表す。
【００４３】
図７の左側のグラフにおいて一点鎖線で示すように、補正回路４０は、分離回路３０から出力される奇数行映像データＤｂ１に対し、正極性書込み時（第１フィールド）においては、階調レベルが増加する方向にシフトさせる補正をし、負極性書込み時（第２フィールド）においては、階調レベルが減少する方向にシフトさせる補正をし、補正した映像データＤｃ１を第１Ｄ／Ａ変換回路５０に供給する。その結果、図７の右側のグラフにおいて一点鎖線で示すように、第１Ｄ／Ａ変換回路５０から出力される電圧信号Ｖｉｄ１は、映像データＤｂ１を補正回路４０で補正することなくＤ／Ａ変換して得られる電圧信号Ｖｉｄ０を、第１フィールド（正極性書込み）では極性基準電圧Ｖｃから離れる方向に値ΔＶだけシフトし、第２フィールド（負極性書込み）では極性基準電圧Ｖｃに近づく方向に値ΔＶだけシフトした波形となる。言い換えると、補正回路４０により補正された映像データＤｃ１をＤ／Ａ変換して得られる電圧信号Ｖｉｄ１は、補正回路４０により補正されない映像データＤｂ１をＤ／Ａ変換して得られる電圧信号Ｖｉｄ０を、第１フィールドと第２フィールドのいずれでも値ΔＶだけ上昇させるようにシフトした波形を有する。ここで、電圧信号Ｖｉｄ０に対する電圧信号Ｖｉｄ１の電圧上昇量（電圧シフト量）ΔＶは、奇数行の画素１１０の電圧変位ΔＶ１と、偶数行の画素１１０の電圧変位ΔＶ２との差分（ΔＶ１−ΔＶ２）に等しいことが好ましい。従って、ΔＶ＝ΔＶ１−ΔＶ２となるように、補正回路４０における映像データＤｂ１に対する映像データＤｃ１のシフト量が調整されている。
【００４４】
図８は、図７に示したように補正回路４０で補正を行った場合の電気光学装置１の各部の電圧を説明するための図である。図８においても、説明を簡潔にするため、図６の場合と同様に、奇数行映像データＤｂ１と偶数行映像データＤｂ２は等しいものとする。従って、補正回路４０により補正されない奇数行映像データＤｂ１を第１Ｄ／Ａ変換回路５０でＤ／Ａ変換して得られる電圧信号Ｖｉｄ０は、偶数行映像データＤｂ２を第２Ｄ／Ａ変換回路６０でＤ／Ａ変換して得られる電圧信号Ｖｉｄ２に等しい。
【００４５】
図６を参照して説明したように、偶数行の画素１１０の画素電極１１８に書き込まれる画素電圧Ｖｐｉｘ２（図８において点線で示す）は、第１フィールド及び第２フィールドのいずれにおいても、第２Ｄ／Ａ変換回路６０から出力される電圧信号Ｖｉｄ２より電圧変位ΔＶ２だけ低下し、偶数行の画素電圧Ｖｐｉｘ２の振幅の中心電圧Ｖｃ２は、電圧信号Ｖｉｄ２の振幅中心である極性基準電圧Ｖｃより電圧変位ΔＶ２だけ低下した電圧となっている。対向電極１０８の電圧LCcomは、偶数行の画素電圧Ｖｐｉｘ２の振幅中心Ｖｃ２と一致するように設定されている。
【００４６】
また、図７を参照して説明したように、補正回路４０において奇数行映像データＤｂ１を第１フィールドでは階調レベルが上昇するように、第２フィールドでは階調レベルが低下するように補正し、補正された映像データＤｃ１を第１Ｄ／Ａ変換回路５０に供給したことにより、第１Ｄ／Ａ変換回路５０から出力される電圧信号Ｖｉｄ１（図８において一点鎖線で示す）は、映像データＤｂ１を補正回路４０で補正することなくＤ／Ａ変換して得られる電圧信号Ｖｉｄ０を、第１フィールドと第２フィールドのいずれにおいても、ΔＶ＝ΔＶ１−ΔＶ２だけ上昇させた波形となっている。そのため、フィードスルー等の影響により電圧信号Ｖｉｄ１から電圧変位ΔＶ１だけ低下する奇数行の画素電圧Ｖｐｉｘ１は、偶数行の画素電圧Ｖｐｉｘ２と一致している。即ち、奇数行の画素電圧Ｖｐｉｘ１の振幅中心Ｖｃ１と、偶数行の画素電圧Ｖｐｉｘの振幅中心Ｖｃ２とが一致している。上述したように、対向電極１０８の電圧LCcomは、偶数行の画素電圧Ｖｐｉｘ２の振幅中心Ｖｃ２と一致するように設定されている。従って、本実施形態においては、画素電圧Ｖｐｉｘ１、Ｖｐｉｘ２の振幅中心Ｖｃ１、Ｖｃ２が対向電極１０８の電圧LCcomと一致するので、奇数行の画素１１０及び偶数行の画素１１０のいずれにおいても、液晶１０５に直流電圧成分が作用することがない。
【００４７】
尚、第１Ｄ／Ａ変換回路５０から出力される電圧信号Ｖｉｄ１の、補正回路４０による映像データの補正がない場合に第１Ｄ／Ａ変換回路５０から出力される電圧信号Ｖｉｄ０に対する電圧シフト量ΔＶは、必ずしも奇数行の電圧変位ΔＶ１と偶数行の電圧変位ΔＶ２の差分（ΔＶ１−ΔＶ２）に一致しなくてもよい。電圧シフト量ΔVは、奇数行の画素電圧Ｖｐｉｘ１の振幅中心Ｖｃ１と、偶数行の画素電圧Ｖｐｉｘ２の振幅中心Ｖｃ２との差が小さくなる（即ち、奇数行の画素１１０に対する最適な対向電極１０８の電圧LCcomと、偶数行の画素１１０に対する最適な対向電極１０８の電圧LCcomとの差が小さくなる）ように設定されればよい。それにより、対向電極１０８の電圧LCcomを、奇数行の画素１１０と偶数行の画素１１０の一方に合わせて設定したとき、奇数行の画素１１０と偶数行の画素１１０の他方におけるフリッカーや焼き付きが軽減される。
【００４８】
＜電子機器＞
次に、上述した実施形態に係る電気光学装置１を適用した電子機器の一例として、プロジェクターを例にとって説明する。図９は、このプロジェクターの構成を示す平面図である。この図に示されるように、プロジェクター２１００の内部には、ハロゲンランプ等の白色光源からなるランプユニット２１０２が設けられている。このランプユニット２１０２から射出された投射光は、内部に配置された３枚のミラー２１０６および２枚のダイクロイックミラー２１０８によってＲ（赤）色、Ｇ（緑）色、Ｂ（青）色の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【００４９】
このプロジェクター２１００では、実施形態に係る電気光学装置１が、Ｒ色、Ｇ色、Ｂ色のそれぞれに対応して３組設けられる。そして、Ｒ色、Ｇ色、Ｂ色のそれぞれに対応する映像データがそれぞれ上位回路から供給されて、各色に対応するデータ信号Ｖｉｄ１及びＶｉｄ２に変換される構成となっている。ライトバルブ１００Ｒ、１００Ｇおよび１００Ｂの構成は、上述した表示パネル１００と同様であり、Ｒ色、Ｇ色、Ｂ色のそれぞれに対応する映像データに応じて駆動される。
【００５０】
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、スクリーン２１２０には、投射レンズ２１１４によってカラー画像が投射されることとなる。
【００５１】
ライトバルブ１００Ｒ、１００Ｇおよび１００Ｂには、ダイクロイックミラー２１０８によって、Ｒ色、Ｇ色、Ｂ色のそれぞれに対応する光が入射するので、カラーフィルターを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００５２】
なお、電子機器としては、図９を参照して説明したプロジェクターの他、電子ビューファインダーや、リヤ・プロジェクション型のテレビジョン、ヘッドマウントディスプレイなどが挙げられる。
【００５３】
＜他の実施形態＞
本発明は上述の実施形態に限定されるものではなく、種々の変形実施が可能である。以下、変形例をいくつか説明する。尚、上述した実施形態及び以下の変形例は、２つ以上のものが組み合わせて用いられてもよい。
【００５４】
＜変形例１＞
上記実施形態において、電気光学装置１は、奇数行映像データＤＢ１の階調レベルを補正する補正回路４０を有していたが、本発明はこれに限定されない。電気光学装置１は、奇数行映像データＤｂ１の階調レベルを補正する補正回路４０の代わりに、偶数行映像データＤｂ２の階調レベルを補正する補正回路を有してもよい。その場合、対向電極１０８の電圧LCcomを、奇数行の画素電圧Ｖｐｉｘ１の振幅中心Ｖｃ１（＝Ｖｃ−ΔＶ１）に一致するように設定するとよい。あるいは、電気光学装置１は、奇数行映像データＤｂ１の階調レベルを補正する補正回路４０に加えて、偶数行映像データＤｂ２の階調レベルを補正する補正回路を有してもよい。
【００５５】
図１０は、変形例１に係る電気光学装置１Ａの構成を示すブロック図である。図１０において、図１と共通する部分には同じ符号を付して詳しい説明を省略する。図１０に示した電気光学装置１Ａは、奇数行映像データＤｂ１の階調レベルを補正する補正回路４０に加えて、偶数行映像データＤｂ２の階調レベルを補正する補正回路８０を有する点が、図１に示した電気光学装置１と異なる。補正回路８０の動作は、図７を参照して説明した補正回路４０の動作と同様であり、入力される偶数行映像データＤｂ２の階調レベルを、正極性書込みと負極性書込みの一方（例えば、負極性書込み）では上昇するように補正し、他方（例えば、正極性書込み）では下降するように補正し、補正された映像データＤｃ２として、第２Ｄ／Ａ変換回路６０に供給する。尚、補正回路８０による偶数行映像データＤｂ２の階調レベルの補正の結果生じる、第２Ｄ／Ａ変換回路６０から出力される電圧信号Ｖｉｄ２のシフトの方向は、補正回路４０による奇数行映像データＤｂ１の階調レベルの補正の結果生じる、第１Ｄ／Ａ変換回路５０から出力される電圧信号Ｖｉｄ１のシフトの方向と同じとは限らない。
【００５６】
図１１は、補正回路４０、８０で補正を行った場合の変形例１に係る電気光学装置１Ａの各部における電圧を説明するための図である。図１１の例においても、表示パネル１００は、図６に示したような電圧変位特性（即ち、奇数行の電圧変位ΔＶ１及び偶数行の電圧変位ΔＶ２（ΔＶ１＞ΔＶ２））を有するものとする。また、説明を簡潔にするため、奇数行映像データＤｂ１と偶数行映像データＤｂ２は同じであるとし、その映像データを第１Ｄ／Ａ変換回路５０または第２Ｄ／Ａ変換回路６０により変換して得られる電圧信号を電圧信号Ｖｉｄ０として、図１１において実線で示す。図１１の例では、対向電極１０８の電圧LCcomは、補正回路４０による補正を行わない場合の奇数行の画素電圧Ｖｐｉｘ１の振幅中心（即ち、Ｖｃ−ΔＶ１）より高く、補正回路８０による補正を行わない場合の偶数行の画素電圧Ｖｐｉｘ２の振幅中心（即ち、Ｖｃ−ΔＶ２）より低い値に設定されているものとする。即ち、極性基準電圧Ｖｃからの対向電極１０８の電圧LCcomのずれをΔＶｓｈとすると、ΔＶ２＜ΔＶｓｈ＜ΔＶ１となるように電圧LCcomが設定されているものとする。
【００５７】
この場合、補正回路４０は、第１Ｄ／Ａ変換回路５０から出力される電圧信号Ｖｉｄ１（図１１において一点鎖線で示す）が、補正回路４０において補正を行わない場合に第１Ｄ／Ａ変換回路５０から出力される電圧信号Ｖｉｄ０に対して、ΔＶａ＝ΔＶ１−ΔＶｓｈだけ上昇するように、奇数行映像データＤｂ１に対し補正を行う。即ち、図７の左側のグラフに示したのと同様に、奇数行映像データＤｂ１に対し、正極性書込み時（第１フィールド）においては、階調レベルが増加する方向にシフトさせる補正をし、負極性書込み時（第２フィールド）においては、階調レベルが減少する方向にシフトさせる補正をし、補正した映像データＤｃ１を第１Ｄ／Ａ変換回路５０に供給する。一方、補正回路８０は、第２Ｄ／Ａ変換回路６０から出力される電圧信号Ｖｉｄ２（図１１において二点鎖線で示す）が、補正回路８０において補正を行わない場合に第２Ｄ／Ａ変換回路６０から出力される電圧信号Ｖｉｄ０に対して、ΔＶｂ＝ΔＶｓｈ−ΔＶ２だけ低下するように、偶数行映像データＤｂ２に対し補正を行う。即ち、図７の左側のグラフに示したのと逆の要領で、偶数行映像データＤｂ２に対し、正極性書込み時（第１フィールド）においては、階調レベルが低下する方向にシフトさせる補正をし、負極性書込み時（第２フィールド）においては、階調レベルが上昇する方向にシフトさせる補正をし、補正した映像データＤｃ２を第２Ｄ／Ａ変換回路６０に供給する。
【００５８】
本例における表示パネル１００では、奇数行の画素１１０の画素電極１１８に書き込まれる画素電圧Ｖｐｉｘ１は、第１Ｄ／Ａ変換回路５０から出力される電圧信号Ｖｉｄ１を電圧変位ΔＶ１だけ低下させた電圧となり、それに応じて、画素電圧Ｖｐｉｘ１の振幅中心Ｖｃ１は、電圧信号Ｖｉｄ１の振幅中心から電圧変位ΔＶ１だけ低下する。上記したように、電圧変位ΔＶ１は、極性基準電圧Ｖｃからの対向電極１０８の電圧LCcomのずれΔＶｓｈより大きいので、補正回路４０による補正がなければ、画素電圧Ｖｐｉｘ１の振幅中心Ｖｃ１は、対向電極１０８の電圧LCcomより低くなる。また、本例における表示パネル１００では、偶数行の画素１１０の画素電極１１８に書き込まれる画素電圧Ｖｐｉｘ２は、第２Ｄ／Ａ変換回路６０から出力される電圧信号Ｖｉｄ２を電圧変位ΔＶ２だけ低下させた電圧となり、それに応じて、画素電圧Ｖｐｉｘ２の振幅中心Ｖｃ２は、電圧信号Ｖｉｄ２の振幅中心から電圧変位ΔＶ２だけ低下する。上記したように、電圧変位ΔＶ２は、極性基準電圧Ｖｃからの対向電極１０８の電圧LCcomのずれΔＶｓｈより小さいので、補正回路８０による補正がなければ、画素電圧Ｖｐｉｘ２の振幅中心Ｖｃ２は、対向電極１０８の電圧LCcomより高くなる。本例においては、補正回路４０の動作により、第１Ｄ／Ａ変換回路５０から出力される電圧信号Ｖｉｄ１は、補正回路４０において補正を行わない場合に第１Ｄ／Ａ変換回路５０から出力される電圧信号Ｖｉｄ０に対して、ΔＶａ＝ΔＶ１−ΔＶｓｈだけ予め上昇されており、また、補正回路８０の動作により、第２Ｄ／Ａ変換回路６０から出力される電圧信号Ｖｉｄ２は、補正回路８０において補正を行わない場合に第２Ｄ／Ａ変換回路６０から出力される電圧信号Ｖｉｄ０に対して、ΔＶｂ＝ΔＶｓｈ−ΔＶ２だけ予め低下させられている。そのため、奇数行の画素電圧Ｖｐｉｘ１の振幅中心Ｖｃ１と偶数行の画素電圧Ｖｐｉｘ２の中心電圧Ｖｃ２のいずれも、対向電極１０８の電圧LCcomに一致する。従って、奇数行の画素１１０及び偶数行の画素１１０のいずれにおいても、液晶１０５に直流電圧成分が作用することがない。
【００５９】
＜変形例２＞
上記実施形態において、電気光学装置１は、奇数行映像データＤｂ１の階調レベルを補正する補正回路４０を有していたが、本発明はこれに限定されない。電気光学装置１は、第１Ｄ／Ａ変換回路５０及び／または第２Ｄ／Ａ変換回路６０から出力された電圧信号の直流成分の補正量（オフセット値とも言う）をアナログ処理により調整してもよい。
【００６０】
図１２は、変形例２に係る電気光学装置１Ｂの構成を示すブロック図である。図１２において、図１と共通する部分には同じ符号を付して詳しい説明を省略する。図１２に示した電気光学装置１Ｂは、奇数行映像データＤｂ１の階調レベルを補正する補正回路４０の代わりに、第１Ｄ／Ａ変換回路５０の下流側に設けられ、第１Ｄ／Ａ変換回路５０から出力された電圧信号Ｖｉｄ１の直流成分の大きさを調整する直流成分調整回路９０を有する点が、図１に示した電気光学装置１と異なる。直流成分調整回路９０は、本発明に係る補正手段の一例に相当する。
【００６１】
直流成分調整回路９０は、第１Ｄ／Ａ変換回路５０から出力された電圧信号Ｖｉｄ１が、第１フィールド（正極性書込み）及び第２フィールド（負極性書込み）のいずれにおいても上昇または下降するように、電圧信号Ｖｉｄ１の直流成分を調整し、調整後の電圧信号を電圧信号Ｖｉｄ３として表示パネル１００に供給する。これにより、上述した実施形態と同様に、対向電極１０８の電圧LCcomが偶数行の画素１１０に合わせて調整されているとき、奇数行の画素電圧Ｖｐｉｘ１の振幅中心Ｖｃ１と、対向電極１０８の電圧LCcomとの間のずれを縮小することができる。
【００６２】
このように、本発明に係る補正手段は、Ｄ／Ａ変換回路の上流側に設けられてデジタル処理により、表示パネル１００の画素１１０に印加する電圧の補正を行う補正回路を有するものであってってよいし、Ｄ／Ａ変換回路の下流側に設けられてアナログ処理により補正を行う直流成分調整回路を有するものであってもよい。ただし、デジタル処理による補正を行う場合、補正を精度良く行うのが容易である。
【００６３】
＜変形例３＞
上記実施形態では、奇数行の画素１１０にデータ信号Ｘ１ａ、Ｘ２ａ、Ｘ３ａ、…、Ｘｎａを供給する第１データ線駆動回路１４０と、偶数行の画素１１０にデータ信号Ｘ１ｂ、Ｘ２ｂ、Ｘ３ｂ、…、Ｘｎｂを供給する第２データ線駆動回路１５０をそれぞれ設けたが、本発明はこれに限定されない。奇数行の画素１１０のデータ信号Ｘ１ａ、Ｘ２ａ、Ｘ３ａ、…、Ｘｎａと、偶数行の画素１１０のデータ信号Ｘ１ｂ、Ｘ２ｂ、Ｘ３ｂ、…、Ｘｎｂとを、一つのデータ線駆動回路から供給してもよい。その場合、図１に示した分離回路３０及び第２Ｄ／Ａ変換回路６０を削除してもよい。
【００６４】
図１３は、変形例３に係る電気光学装置１Ｃの構成を示すブロック図である。図１３において、図１と共通する部分には同じ符号を付して詳しい説明を省略する。図１４は、変形例３に係る表示パネル１００Ａの構成を示す図である。図１４において、図２と共通する部分には同じ符号を付して詳しい説明を省略する。
【００６５】
図１３に示す電気光学装置１Ｃは、分離回路３０及び第２Ｄ／Ａ変換回路６０を有さず、奇数行映像データＤｂ１と偶数行映像データＤｂ２に分離される前の映像データＤｂが補正回路４０に入力される点が、図１に示した電気光学装置１と異なる。また、図１３に示す電気光学装置１Ｃでは、制御回路１０から補正回路４０に、補正回路４０に入力されている映像データＤｂが偶数行の画素１１０に対応するものか奇数行の画素１１０に対応するものかを表す信号Ｌｉｎｅが入力されている。例えば、上記したように、表示パネル１００の対向電極１０８の電圧LCcomが、偶数行の画素１１０に対して最適値となるように設定される場合、補正回路４０は、信号Ｌｉｎｅによって映像データＤｂが偶数行の画素１１０に対応するものであることが示される場合は補正処理をせず、信号Ｌｉｎｅによって映像データＤｂが奇数行の画素１１０に対応するものであることが示される場合は、信号Ｐｏｌを参照しつつ、図７を参照して説明した補正処理を行う。補正回路４０の出力は、映像データＤｃとしてＤ／Ａ変換回路５０ａに供給され、Ｄ／Ａ変換回路５０ａで電圧信号Ｖｉｄに変換されて表示パネル１００に入力される。従って、電圧信号Ｖｉｄには、奇数行の画素１１０のデータ信号と偶数行の画素１１０のデータ信号が含まれる。
【００６６】
図１４に示す表示パネル１００Ａは、奇数行の画素１１０と偶数行の画素１１０に共通のデータ線駆動回路１４０ａを有する点が、図２に示した表示パネル１００と異なる。データ線駆動回路１４０ａには、Ｄ／Ａ変換回路５０ａから出力される、奇数行の画素１１０のデータ信号と偶数行の画素１１０のデータ信号を含む電圧信号Ｖｉｄが入力される。走査線駆動回路１３０は、電圧信号Ｖｉｄに同期して、走査信号Ｙ１、Ｙ２、Ｙ３、・・・Ｙｍを、それぞれ１、２、３、・・・ｍ行目の走査線１１２に供給する。本例では、電圧信号Ｖｉｄ中に、奇数行の画素１１０のデータ信号と偶数行の画素１１０のデータ信号が含まれているため、奇数行の走査線１１２と偶数量の走査線１１２を同時に選択して、それぞれの走査線１１２に接続された画素１１０へのデータの書込み（水平走査）を同時に行うということはできない。しかしながら、例えば、奇数行の画素１１０用のデータ線１１４ａと偶数行の画素１１０用のデータ線１１４ｂとが異なる配線層に設けられていることにより、選択トランジスター１４４のフィードスルーによる電圧低下の大きさが異なる場合など、奇数行の画素１１０と偶数行の画素１１０とで最適な対向電極１０８の電圧LCcomが異なる事態が生じ得る。補正回路４０は、上記したように、映像データＤｂに含まれる奇数行映像データ（Ｄｂ１）と偶数行映像データ（Ｄｂ２）の少なくとも一方を補正することで、奇数行の画素１１０と偶数行の画素１１０とで最適な対向電極１０８の電圧LCcomの差を小さくする。それにより、電気光学装置１におけるフリッカーや焼き付きなどの表示の不具合が低減される。
【００６７】
＜変形例４＞
上述した実施形態において、１フレームを第１フィールドおよび第２フィールドに分けて、それぞれ正極性書込みおよび負極性書込みを実行する構成としたが、本発明はこれに限定されない。１フレームを例えば４以上の偶数個のフィールドに分けて、正極性書込みと負極性書込みとを交互に実行しても良い。また、フィールドに分けないで例えば奇数フレームおよび偶数フレームに分けて正極性書込みと負極性書込みとを交互に実行しても良い。
【００６８】
＜他の変形例＞
本発明に係る電子機器はプロジェクターに限定されない。テレビジョン、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等に本発明が用いられてもよい。また、上記例では、プロジェクターは、３つのライトバルブ１００Ｒ、１００Ｇ及び１００Ｂを用いた３板式プロジェクターであったが、本発明はこれに限定されない。ＲＧＢ各色の画素を有する１枚のカラー表示パネルを用いた単板式プロジェクターであってもよい。即ち、本発明に係る電気光学装置は、ＲＧＢ各色の画素を有するカラー表示パネルを含むものであってよい。また、上述した実施形態において、液晶容量１２０は、透過型に限られず、反射型であっても良い。さらに、液晶容量１２０は、ノーマリーブラックモードに限られず、例えばＴＮ方式として、電圧無印加時において液晶容量１２０が白状態となるノーマリーホワイトモードとしても良い。
【符号の説明】
【００６９】
１、１Ａ、１Ｂ、１Ｃ…電気光学装置、１０…制御回路、２０…メモリー、３０…分離回路、４０、８０…補正回路、５０…第１Ｄ／Ａ変換回路、５０ａ…Ｄ／Ａ変換回路、６０…第２Ｄ／Ａ変換回路、７０…LCcom調整回路、９０…直流成分調整回路、１００、１００Ａ…表示パネル、１００Ｒ、１００Ｇ、１００Ｂ…ライトバルブ、１０５…液晶、１０７…容量線、１０８…対向電極、１０９…蓄積容量、１１０…画素、１１２…走査線、１１４、１１４ａ、１１４ｂ…データ線、１１６…画素トランジスター、１１８…画素電極、１２０…液晶容量、１３０…走査線駆動回路、１４０…第１データ線駆動回路、１４０ａ…データ線駆動回路、１４２…サンプリング信号出力回路、１４４…選択トランジスター、１４６…信号線、１５０…第２データ線駆動回路、２１００…プロジェクター、２１０２…ランプユニット、２１０６…ミラー、２１０８…ダイクロイックミラー、２１１２…ダイクロイックプリズム、２１１４…投射レンズ、２１２０…スクリーン、２１２１…リレーレンズ系、２１２２…入射レンズ、２１２３…リレーレンズ、２１２４…出射レンズ、Ｍａ…表示領域
【図１】
2013101211.tif 000003
【図２】
2013101211.tif 000004
【図３】
2013101211.tif 000005
【図４】
2013101211.tif 000006
【図５】
2013101211.tif 000007
【図６】
2013101211.tif 000008
【図７】
2013101211.tif 000009
【図８】
2013101211.tif 000010
【図９】
2013101211.tif 000011
【図１０】
2013101211.tif 000012
【図１１】
2013101211.tif 000013
【図１２】
2013101211.tif 000014
【図１３】
2013101211.tif 000015
【図１４】
2013101211.tif 000016